(57)【特許請求の範囲】
【請求項１】
ランタノイド系希土類化合物を含有する偽造防止用インキと同色のインキを作製し、基材上に両者を印刷したことを特徴とする偽造防止印刷物。
【請求項２】
太陽光もしくは太陽光と同様の波形を照射した場合の反射光の色相がランタノイド系希土類化合物を含有する偽造防止用インキと同色のインキを作製し、基材上に両者を印刷したことを特徴とする偽造防止印刷物。
【請求項３】
青（波長４５０ｎｍ）・緑（波長５４０ｎｍ）・赤（波長６１０ｎｍ）の３波長域に発光特性のある光源からの光を照射した場合の反射光の色相がランタノイド系希土類化合物を含有する偽造防止用インキと同色のインキを作製し、基材上に両者を印刷したことを特徴とする偽造防止印刷物。
【請求項４】
太陽光もしくは太陽光と同様の波形を照射した場合の反射光の色相がランタノイド系希土類化合物を含有する偽造防止用インキと同色になり、青（波長４５０ｎｍ）・緑（波長５４０ｎｍ）・赤（波長６１０ｎｍ）の３波長域に発光特性のある光源からの光を照射した場合の反射光の色相が前記偽造防止用インキと異なるインキを作製し、両者を印刷したことを特徴とする偽造防止印刷物。
【請求項５】
青（波長４５０ｎｍ）・緑（波長５４０ｎｍ）・赤（波長６１０ｎｍ）の３波長域に発光特性のある光源からの光を照射した場合の反射光の色相がランタノイド系希土類化合物を含有する偽造防止用インキと同色になり、太陽光もしくは太陽光と同様の波形を照射した場合の反射光の色相が前記偽造防止用インキと異なるインキを作製し、両者を印刷したことを特徴とする偽造防止印刷物。
【発明の詳細な説明】
【０００１】
【発明の属する技術分野】
本発明は、複写機などによる複製を防止するための偽造防止用インキおよび偽造防止印刷物とこの偽造防止印刷物と偽造印刷物の真偽判定方法に関する。
【０００２】
【従来の技術】
近年、電子写真技術を利用した複写機が普及し、これを利用して誰でも簡単に紙などに印刷された文字や画像を複写することができるようになった。特に、最近のカラーデジタル複写機によれば、原稿か複写物か見分けが極めて困難な複写物でさえも容易に作成することができる。
【０００３】
一般的なカラーデジタル複写機の原理は、原稿に光を照射し、反射光をＣＣＤラインセンサで検知する。ＣＣＤラインセンサでは、反射光の強度に応じたデジタル信号を生成し、複写機内のメモリに送信する。この読み取り過程をレッド（Ｒ）、グリーン（Ｇ）、ブルー（Ｂ）の３色について行い、それぞれの場合のデジタル信号をメモリに格納する。次に格納されたデジタル信号に基づいて、レーザ光を感光体ドラムの表面に照射し、イエロー（Ｙ）、マゼンタ（Ｍ）、シアン（Ｃ）、ブラック（Ｂｋ）のトナーを感光体ドラムの上に順次静電吸着し、これらのトナーを順次紙などのシート上に転写して定着させる。これにより、カラーの画像が形成された精巧な複写物を得ることができる。
【０００４】
【発明が解決しようとする課題】
かかるカラー複写は便利である反面、このために株券、債券、約束手形、小切手などの有価証券や、入場券、搭乗券などの印刷物などが容易に偽造されるという問題が増加しつつある。このため、容易に複写できないように印刷物に複製防止対策を施す提案が種々なされている。
【０００５】
カラー複写による複写物の色が原稿の色と異なるようにする技術が提案されている。例えば原稿とされうる有価証券などに非常に淡い色で着色すると、複写物では淡い色の部分が正確に再現できない。また、原稿に大きさの異なる網点を形成しておくと複写しても小さい網点の再現性が悪化する。さらにカラー複写機のトナーにない色である緑、紫、橙、金、銀等を印刷することで複写物の色の再現性が悪化する。また、人間の視認度が低い領域例えば３８０ｎｍ〜４５０ｎｍおよび６５０〜７８０ｎｍあたりの波長域に特徴をもたせた２種類のインキを用いることで見た目には同色であるが、カラー複写機での複写物は異なる色に再現する。
【０００６】
しかし、カラー複写機では、３色に分解されてメモリに格納されたデジタルデータを変更することによって、出力する色を補正することが可能である。また、カラー複写機と同様の原理を利用してカラースキャナーで読み込んだデジタルデータをコンピュータで補正し、カラープリンタまたはカラー複写機で出力するようなデジタルプレスが普及しつつある。従って、現在多少の手間をかければ、原稿の色を精巧に再現することが可能であり、上記のような技術では偽造を完全に防止することはできない。
【０００７】
また、カラー複写機では再現不可能な特殊部分を有価証券などに設けておく技術も提案されている。このうち、ホログラム箔などのＯＶＤ箔を有価証券などの表面上に設ける技術はすでに実用化されている。これによれば、ホログラムの銀面が光を鏡面反射するため、ＣＣＤラインセンサに反射光が入射せず、原稿で銀面だった部分が複写物では黒色に再現される。また、屈折率の異なるセラミックを適当な膜厚を持つ複数層に積層すると、見る角度によって色が変化する特殊な光学薄膜が形成される。かかる性質は、複写物では得ることができないので、容易に真偽判定が可能である。さらに、この方法で形成された薄膜を細かく砕き、破片をインキに混入して印刷を行う方法も提案されている。
【０００８】
しかしながら、これらの技術では、ホログラム箔やセラミック膜を蒸着やスパッタリングのようなドライコーティングで形成する必要がある、工程が複雑化する上、製造コストが極めて高いという問題がある。
【０００９】
さらに、可視光線の下では識別できない部分を有価証券などに設けておく技術も提案されている。例えば、赤外線吸収色素を原稿に印刷しておくと、市販されている複写機およびプリンタのトナーには赤外線吸収能力はないので、複写物はその印刷を再現することはできない。従って赤外線を利用した検証機によって真偽判断が可能である。また、紫外線の照射によって蛍光を発する蛍光体で原稿に印刷して置いた場合にも、市販されている複写機およびプリンタではそのような蛍光機能を再現できない。従ってブラックライトを照射すると、本物は発光するが、偽造品は発光せず、容易に真偽判断が可能である。このほかにも様々な提案がされている。
【００１０】
しかし、これらの技術では特殊な波長の光源が必要となる。また、その波長における真偽判断が可能なように検証機を製造しなければならない場合もある。このため、真偽判断に用いるシステムのうちハードウエアのコストが高くなってしまう。
【００１１】
また、特開平１０−２７８４６０号公報にランタノイド系希土類化合物を用いた複写防止物品を開示しているが、真偽判定が煩雑であり、顔料の色素が淡いため判別に困難を要する。
【００１２】
本発明は上記事情を考慮してなされたものであり、市販のカラー複写機などでは偽造が極めて困難であり、かつ廉価で製造することが可能であり、真正品と偽造品を簡単な装置を用いて明確に判別することができる偽造防止用インキおよび偽造防止印刷物を提供することを目的とする。
【００１３】
【課題を解決するための手段】
上記目的を達成するためになされた本発明は、ランタノイド系希土類化合物を含有する偽造防止用インキと同色のインキを作製し、基材上に両者を印刷したことを特徴とする偽造防止印刷物である。
【００２１】
また、本発明は、太陽光もしくは太陽光と同様の波形を照射した場合の反射光の色相がランタノイド系希土類化合物を含有する偽造防止用インキと同色のインキを作製し、基材上に両者を印刷したことを特徴とする偽造防止印刷物である。
【００２２】
また、本発明は、青（波長４５０ｎｍ）・緑（波長５４０ｎｍ）・赤（波長６１０ｎｍ）の３波長域に発光特性のある光源からの光を照射した場合の反射光の色相がランタノイド系希土類化合物を含有する偽造防止用インキと同色のインキを作製し、基材上に両者を印刷したことを特徴とする偽造防止印刷物である。
【００２３】
また、本発明は、太陽光もしくは太陽光と同様の波形を照射した場合の反射光の色相がランタノイド系希土類化合物を含有する偽造防止用インキと同色になり、青（波長４５０ｎｍ）・緑（波長５４０ｎｍ）・赤（波長６１０ｎｍ）の３波長域に発光特性のある光源からの光を照射した場合の反射光の色相が前記偽造防止用インキと異なるインキを作製し、両者を印刷したことを特徴とする偽造防止印刷物である。
【００２４】
また、本発明は、青（波長４５０ｎｍ）・緑（波長５４０ｎｍ）・赤（波長６１０ｎｍ）の３波長域に発光特性のある光源からの光を照射した場合の反射光の色相がランタノイド系希土類化合物を含有する偽造防止用インキと同色になり、太陽光もしくは太陽光と同様の波形を照射した場合の反射光の色相が前記偽造防止用インキと異なるインキを作製し、両者を印刷したことを特徴とする偽造防止印刷物である。
【００２５】
【発明の実施の形態】
以下、本発明の実施の形態によって図面を参照して詳細に説明する。
【００２６】
図１は本発明の偽造防止用インキの代表的な分光波形を示すものであり、具体的にはＨｏ2Ｏ3の分光波形のグラフであり、図２は太陽光の各波長における相対エネルギー比率を示したグラフである。図３は本発明の偽造防止印刷物の一実施例を示す平面図であり、図４は真偽判定用ランプの照射光の各波長における相対エネルギー比率を示したグラフであり、図５は図３の偽造防止印刷物に図４の波長分布を持つ光を照射した場合の偽造防止印刷物の見え方を示した平面図である。図６は本発明の偽造防止印刷物の一実施例を示す平面図であり、図７、図８は図４の波長分布を持つ光を照射した場合に見える偽造防止印刷物の平面図であり、図９は図２の太陽光を照射した場合の偽造防止印刷物の見え方を示した平面図である。
【００２７】
図３は、本発明の偽造防止印刷物の一実施例を示す平面図であるが、偽造防止印刷物１は基材１１、偽造防止印刷部１２１および文字絵柄印刷部１４１から成り立っている。
【００２８】
基材１１、２１、３１としては、紙、プラスチック、木材、ガラスまたは樹脂などが用いられ、偽造防止印刷物１１の用途に応じてこれらから任意に選択される。
【００２９】
偽造防止印刷部１２１は、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕから選択されるランタノイド系希土類元素の単体またはこれら元素の化合物を含む材料から構成される。ここで上記化合物は、酸化物、炭化物、塩化物、フッ化物、硫化物および窒化物から選択された化合物である。より具体的にはＬａ2Ｏ3、ＬａＣｌ3、Ｌａ（ＣＯ3）3、ＬａＦ3、ＣｅＯ2、Ｃｅ（ＳＯ4）2、Ｃｅ2（ＣＯ3）3、Ｐｒ6Ｏ11、ＰｒＣｌ3、Ｎｄ2Ｏ3、ＮｄＣｌ3、Ｎｄ2（ＣＯ3）3、ＮｄＦ3、Ｐｍ2Ｏ3、Ｓｍ2Ｏ3、ＳｍＣｌ3、Ｅｕ2Ｏ3、ＥｕＣｌ3、Ｇｄ2Ｏ3、ＧｄＦ3、Ｔｂ4Ｏ7、Ｄｙ2Ｏ3、Ｄｙ2（ＣＯ3）3、Ｄｙ（ＮＯ3）3、Ｅｒ2Ｏ3、Ｅｒ2（ＣＯ3）3、Ｔｍ2Ｏ3、Ｙｂ2Ｏ3、Ｌｕ2Ｏ3等があげられる。偽造防止印刷部１２１を形成するにあたっては、上記材料と、結着剤、分散剤および助剤とを混合した偽造防止用インキを基材１１の表面に印刷すればよい。
【００３０】
上記偽造防止用インキは、その結着剤、分散剤および助剤の種類によりオフセット印刷用、グラビア印刷用、スクリーン印刷用等の各印刷方法用のインキにすることができる。また、その印刷方法は、通常のオフセット印刷法、グラビア印刷法、スクリーン印刷法等が可能でとくに限定されない。
【００３１】
偽造防止印刷部１２１、２２１、３２１、１２２、２２２、３２２を構成するランタノイド系希土類元素または化合物は、異なる種類の波長の光源の下では、目視上色相が異なる。例えばＨｏ2Ｏ3を例にとると、太陽光下では人間の目には淡い黄色に見え、３波長発光形蛍光灯、詳しくは波長４５０ｎｍ（青）・５４０ｎｍ（緑）・６１０ｎｍ（赤）の３波長域を発光する光を照射すると人間の目には赤色に見える。
【００３２】
ランタノイド系希土類元素は、４ｆ軌道に電子を持っており、可視領域の狭帯域の波長の光を多く吸収し、その帯域から外れた波長の光をあまり吸収しない。これらの特徴は、ランタノイド系希土類の化合物であっても同様である。一例として図１にＨｏ2Ｏ3の分光波形を示す。Ｈｏ2Ｏ3は波長４５０ｎｍ、５５０ｎｍ、６５０ｎｍ付近にシャープな吸収帯域を持っている。すなわち、Ｈｏ2Ｏ3は上記の波長域の光を多く吸収する一方、それ以外の波長の光をあまり吸収しない。従って、図２に示すような太陽光のスペクトル波長を照射した場合のＨｏ2Ｏ3の反射光のスペクトルは図１の分光波形とほぼ同様となり淡い黄色に見えるが、図４に示すような４５０ｎｍ、５４０ｎｍ、６１０ｎｍの３波長発光形の蛍光灯をＨｏ2Ｏ3に照射した場合は青の波長である４５０ｎｍの発光と緑の波長である５４０ｎｍの光をＨｏ2Ｏ3が吸収するため、赤の波長である６１０ｎｍの発光のみが反射され赤く見える。同様にカラー複写機にてＨｏ2Ｏ3のインキを印刷したものをコピーすると、カラー複写機のもつ各Ｒ（レッド）、Ｇ（グリーン）、Ｂ（ブルー）のフィルターの特性より緑色にコピーされる。
【００３３】
ランタノイド系希土類の化合物は上記のような性質を持っていることより、上記と同様に２種類以上のスペクトル波長の光源を照射することで異なった色となる。
【００３４】
図５は偽造防止印刷物１に図４に示すようなスペクトル波長を持つ真偽判定用蛍光灯１５を照射した場合の偽造防止印刷物１２２の見え方を示したもので、図３の太陽光下で見た偽造防止印刷部１２１の色と図５の真偽判定用蛍光灯１５を照射した場合の偽造防止印刷部１２２の色は異なって見える。また、図３の文字絵柄印刷部１４１と図５の文字絵柄印刷部１４２では同じ色に見えることより、この色の違いにより真偽判定ができる。
【００３５】
図６は、本発明の偽造防止印刷物の一実施例を示す平面図である。偽造防止印刷物２は基材２１、偽造防止印刷部２２１、色合わせ印刷部２３および文字絵柄印刷部２４１から成り立っている。
【００３６】
偽造防止印刷部２２１用の偽造防止用インキはランタノイド系希土類元素の単体またはこれらの元素の化合物を含むインキに通常のプロセスインキもしくは色変化が起こらない特色インキを混入したものである。また、色合わせ印刷部２３に用いられているインキは、太陽光下で偽造防止印刷部２２１を見たときの色と同色になるようにインキを調肉したものである。
【００３７】
太陽光下で見る偽造防止印刷物２は偽造防止印刷部２２１と色合わせ印刷部２３が同色に見えるため偽造防止印刷部２２１の模様がわからないが、図７のように図４に示すようなスペクトル波長を持つ真偽判定用蛍光灯２５を照射した場合に見える偽造防止印刷物２は偽造防止印刷部２２２の色が変化するため、色合わせ印刷部２３と別な色となるため偽造防止印刷部２２２の模様が浮き出ることにより真偽判定ができる。
【００３８】
図８は上記図６、図７の真偽判定方法を逆に利用したもので、偽造防止印刷物３が図４に示すようなスペクトル波長を持つ真偽判定用蛍光灯３５を照射した場合に見える偽造防止印刷部３２１の色と同色になるように調肉したインキを印刷した色合わせ印刷部３３から構成されている。
【００３９】
図８の偽造防止印刷物３の状態では偽造防止印刷部３２１と色合わせ印刷部３３の色が同じであるため両者の区別はつかないが、図９のように太陽光にて偽造防止印刷物３を見た場合偽造防止印刷部３２２と色合わせ印刷部３３の色が異なって見えることより真偽判定ができる。
【００４０】
【実施例】
本発明を、具体的な実施例をあげて詳細に説明する。
＜実施例１＞
９０ｋｇベースのクリーム色の上質紙にプロセスカラーインキをオフセット印刷法を用いて文字・絵柄を印刷し、次に下記［偽造防止用インキの組成１］からなる偽造防止用インキをオフセット印刷法にて約２μｍ、パターン状に印刷して偽造防止印刷物を得た。
［偽造防止用インキの組成１］
オリゴマー（フォトマー５０１８：サンノプコ製）              ６０部
モノマー（カヤラッドＴＭＰＴＡ：日本化薬製）                １４部
重合開始剤（カヤキュアーＭＢＰ：日本化薬製）                  １部
重合開始剤（ニッソキュアーＴＸ：日本曹達製）                  ８部
重合開始剤（サンドリー１０００：サンド製）                    １部
白色ワセリン                                                  ４部
Ｈｏ2Ｏ3                                                   ３０部
【００４１】
得られた偽造防止印刷物を太陽光下で見た場合、偽造防止用インキを用いて印刷された偽造防止印刷部は紙基材のクリーム色とほぼ同色となっているため見分けがつかないが、３波長発光形蛍光灯下で見ると偽造防止印刷部は赤く見えるため真正品であることがわかった。
【００４２】
＜実施例２＞
９０ｋｇベースの上質紙にプロセスカラーインキをオフセット印刷法を用いて文字・絵柄を印刷し、次に下記［偽造防止用インキの組成２］からなる偽造防止用インキをオフセット印刷法にて約２μｍ、パターン状に印刷して、そのパターンの逆版を［偽造防止用インキの組成２］を太陽光下で見た場合の色と同じ色をプロセスカラーインキにて調色したインキにて印刷して偽造防止印刷物を得た。同時に上記偽造防止印刷物をカラー複写機によるコピー品も作製した。
［偽造防止用インキの組成２］
［偽造防止用インキの組成１］にて作製したオフセットインキ      ９５部
プロセスインキ（ＦＤ  ＯＬ  藍  ＴＣロ：東洋インキ製造製）      ５部
【００４３】
得られた偽造防止印刷物を太陽光下で見た場合、偽造防止用インキを用いて印刷された偽造防止印刷部は、それと同色で逆版に印刷された部分と同じ色に見えているため印刷パターンが見えなかったが、３波長発光形蛍光灯下で見ると偽造防止印刷部は紫色に見え印刷パターンが出現した。また、コピー品は太陽光下でも３波長発光形蛍光灯下でも偽造防止印刷部は深緑色に見え、真正品とコピー品の判別ができた。
【００４４】
＜実施例３＞
９０ｋｇベースの上質紙にプロセスカラーインキをオフセット印刷法を用いて文字・絵柄を印刷し、次に上記［偽造防止用インキの組成２］からなる偽造防止用インキをオフセット印刷法にて約２μｍ、パターン状に印刷して、そのパターンの逆版を［偽造防止用インキの組成２］を３波長発光形蛍光灯下で見た場合と同じ色をプロセスカラーインキにて調色したインキにて印刷して偽造防止印刷物を得た。同時に上記偽造防止印刷物をカラー複写機によるコピー品も作製した。
【００４５】
得られた偽造防止印刷物を３波長発光形蛍光灯下で見た場合、偽造防止用インキを用いて印刷された偽造防止印刷部は、それと同色で逆版に印刷された部分と同じ色に見えているため印刷パターンが見えなかったが、太陽光下で見ると偽造防止印刷部は青色に見え印刷パターンが出現した。また、コピー品は３波長発光形蛍光灯下でも太陽光下でも偽造防止印刷部は深緑色に見え、真正品とコピー品の判別ができた。
【００４６】
【発明の効果】
以上述べたように、本発明は可視領域の狭帯域の波長の光を多く吸収し、その帯域から外れた波長の光をあまり吸収しない、ランタノイド系希土類元素もしくはその化合物を含有したインキを形成することにより、異なった分光スペクトル特性を持つ２種類以上の光源下で見たとき異なった色相を呈するインキとなることより、本発明のインキにて印刷することで、簡単でかつ安価な真偽判定装置にて真偽判定を行うことができる。
【図面の簡単な説明】
【図１】本発明の偽造防止用インキの代表的な分光波形を示すグラフ。
【図２】太陽光の各波長における相対エネルギー比率を示したグラフ。
【図３】本発明の偽造防止印刷物の一実施例を示す平面図。
【図４】真偽判定用ランプの各波長における相対エネルギー比率を示したグラフ。
【図５】図３の偽造防止印刷物に図４の波長分布を持つ光を照射した場合の偽造防止印刷物の見え方を示した平面図。
【図６】本発明の偽造防止印刷物の一実施例を示す平面図。
【図７】図６の偽造防止印刷物に図４の波長分布を持つ光を照射した場合の偽造防止印刷物の見え方を示した平面図。
【図８】図４の波長分布を持つ光を照射した場合に見える偽造防止印刷物の平面図。
【図９】図２の太陽光を照射した場合の偽造防止印刷物の見え方を示した平面図。
【符号の説明】
１、  ２、  ３…偽造防止印刷物
１１、２１、３１…基材
１２１、２２１、３２１…偽造防止印刷部
１２２、２２２、３２２…偽造防止印刷部（色変化を起こした状態）
２３、３３…色合わせ印刷部
１４１、１４２、２４１、２４２、３４１、３４２…文字絵柄印刷部
１５、２５、３５…真偽判定用蛍光灯
【図１】
0004378789.tif 000002
【図２】
0004378789.tif 000003
【図３】
0004378789.tif 000004
【図４】
0004378789.tif 000005
【図５】
0004378789.tif 000006
【図６】
0004378789.tif 000007
【図７】
0004378789.tif 000008
【図８】
0004378789.tif 000009
【図９】
0004378789.tif 000010